(57)【要約】【課題】回路基板を他の回路基板に取り付ける工程にあたってシャーシが必要とならず、また当該工程を極力簡易に行うことが可能な受信装置および基板取付部材を提供する。【解決手段】実装面の外縁が略四角形である第１基板と、取付面の外縁が略四角形である板状部を有し、第１基板が該取付面（表面）側に取り付けられる一方、該取付面の裏側の面（裏面）側が第２基板に取り付けられる基板取付部材と、を備え、受信した放送信号に対して、第１基板の回路によって所定の処理を施す受信装置であって、基板取付部材は、第１基板と第２基板とを電気的に接続する接続端子と、第２基板への取付に用いられる脚部と、を有し、接続端子は、表面側と裏面側において、板状部から略垂直方向に突出し、表面側においては第１基板と接触する一方、裏面側においては第２基板に接触するものであり、脚部は、裏面側において、板状部から略垂直方向に突出している構成とする。【選択図】図５
2009147415.tif 000002
【特許請求の範囲】
【請求項１】
実装面の外縁が略四角形である第１基板と、
取付面の外縁が略四角形である板状部を有し、前記第１基板が該取付面（「表面」とする）側に取り付けられる一方、該取付面の裏側の面（「裏面」とする）側が所定の第２基板に取り付けられる基板取付部材と、
を備え、
受信された放送信号に対して、前記第１基板に設けられた回路によって所定の処理を施す受信装置であって、
前記基板取付部材は、
前記第１基板と前記第２基板とを電気的に接続する接続端子と、
前記第２基板への取り付けに用いられる脚部と、を有しており、
前記接続端子は、
前記表面側と裏面側において、前記板状部から略垂直方向に突出しており、前記表面側においては前記第１基板と接触する一方、前記裏面側においては前記第２基板に接触するものであり、
前記脚部は、
前記裏面側において、前記板状部から略垂直方向に突出していることを特徴とする受信装置。
【請求項２】
前記板状部は、
前記取付面の外縁に沿った枠状に形成されていることを特徴とする請求項１に記載の受信装置。
【請求項３】
前記第１基板における実装面の外縁の形状と、前記板状部の外縁の形状とは、互いに略合同であることを特徴とする請求項２に記載の受信装置。
【請求項４】
前記基板取付部材は、
前記裏面側における、前記板状部の四隅の各々において、
前記板状部と前記第２基板との間に介在して、厚みに応じたスペースを該板状部と該第２基板との間に確保させる、第１スペーサが設けられていることを特徴とする請求項１に記載の受信装置。
【請求項５】
前記脚部および接続端子は、
前記裏面側において、前記板状部から、前記第１スペーサの厚みよりも大きく突出していることを特徴とする請求項４に記載の受信装置。
【請求項６】
前記脚部は、
前記裏面側において、前記板状部から、前記接続端子よりも長く突出していることを特徴とする請求項１に記載の受信装置。
【請求項７】
前記第１基板は、
前記基板取付部材と向かい合う側の面に、該面からの高さが所定値である突出部分を有している一方、
前記基板取付部材における、前記第１基板と接触する面と前記第２基板と接触する面との距離は、該所定値よりも大きく設定されていることを特徴とする請求項２に記載の受信装置。
【請求項８】
前記脚部の各々は、
前記第２基板に設けられている脚部挿入用孔の各々に挿入されるものであり、
該脚部の各々は、該脚部挿入用孔の各々の位置に対応して設けられていることを特徴とする請求項１に記載の受信装置。
【請求項９】
前記脚部は、
前記第２基板に設けられている脚部挿入用孔に挿入させられるものであるとともに、
該脚部挿入用孔に挿入させられた状態で該第２基板に係合することで、該脚部が該脚部挿入用孔から抜けることを妨げるフックを備えていることを特徴とする請求項１に記載の受信装置。
【請求項１０】
前記接続端子は、
前記第１基板または第２基板に設けられている接続用孔に挿入可能な、突起形状を有しているとともに、
該接続用孔に挿入させられた状態で該接続用孔の内部に径方向の弾性力を加える、作用部を有していることを特徴とする請求項１に記載の受信装置。
【請求項１１】
前記接続端子は、
弾性を有する金属により形成されており、
前記作用部は、
前記接続端子の一部に、曲げ加工が施されることにより実現されていることを特徴とする請求項１０に記載の受信装置。
【請求項１２】
前記脚部は、
前記裏面側において、前記板状部の四隅の各々から略垂直方向に突出していることを特徴とする請求項１に記載の受信装置。
【請求項１３】
前記基板取付部材は、
前記表面側における、前記板状部の四隅の各々において、
前記板状部と前記第１基板との間に介在して、厚みに応じたスペースを該板状部と該第１基板との間に確保させる、第２スペーサが設けられていることを特徴とする請求項１に記載の受信装置。
【請求項１４】
前記接続端子は、
所定のチューナから出力される信号を前記第１基板に伝送する、第１接続端子と、
前記第１基板から出力される信号を所定の映像装置に伝送する、第２接続端子と、
前記第１基板を前記第２基板における接地点に接続する、第３接続端子と、
の各々を有しており、
該第１接続端子、該第２接続端子、および該第３接続端子の各々は、
互いに前記基板取付部材の異なる辺に沿って配置されていることを特徴とする請求項１に記載の受信装置。
【請求項１５】
取付面の外縁が略四角形である板状部を有し、
実装面の外縁が略四角形である所定の第１基板が該取付面（「表面」とする）側に取り付けられる一方、該取付面の裏側の面（「裏面」とする）側が所定の第２基板に取り付けられる基板取付部材であって、
前記第１基板と前記第２基板とを電気的に接続する接続端子と、
前記第２基板への取り付けに用いられる脚部と、を有しており、
前記接続端子は、
前記表面側と裏面側において、前記板状部から略垂直方向に突出しており、前記表面側においては前記第１基板と接触する一方、前記裏面側においては前記第２基板に接触するものであり、
前記脚部は、
前記裏面側において、前記板状部から略垂直方向に突出していることを特徴とする基板取付部材。
【請求項１６】
前記板状部は、
前記取付面の外縁に沿った枠状に形成されており、
該板状部の外縁の形状は、
前記第１基板における実装面の外縁の形状と、略合同になっていることを特徴とする請求項１５に記載の基板取付部材。
【発明の詳細な説明】
【技術分野】
【０００１】
本発明は、回路基板の取り付けに用いられる基板取付部材、ならびに当該基板取付部材が用いられて構成された受信装置に関する。
【背景技術】
【０００２】
従来、例えば放送波を受信する受信装置において、回路基板が金属製のシャーシに取り付けられて構成されたものが利用されてきた。このような構成の受信装置の構成について、図８を参照しながら以下に説明する。
【０００３】
本図に示すように受信装置１０９は、それぞれ回路基板が設けられているチューナ部１０１と本体部１０２を有しており、これらがメイン基板１０９に取り付けられている。またチューナ部１０１と本体部１０２は、それぞれ金属製のシャーシ（１１４、１２６）に覆われた構成となっている。
【０００４】
またチューナ部１０１は、チューナ入力端子１１１、チューナ回路部１１２、および中間周波数信号の出力端子１１３を備えている一方、本体部１０２は、中間周波数信号の入力端子１２１、第１回路部１２２、第２回路部１２３、第３回路部１２４、および映像装置接続端子１２５を備えている。
【０００５】
上述した構成により受信装置１０９は、デジタル放送の放送波を受信し、放送信号を、チューナ入力端子１１１を通じて、チューナ回路部１１２に入力する。チューナ回路部１１２は、放送信号のうち所定周波数の抽出（選局）し、中間周波数の信号に変換して、出力端子１１３を通じて本体部１０２に出力する。
【０００６】
本体部１０２は、入力端子１２１を通じて中間周波数の信号を受取り、第１回路部１２２に伝送する。第１回路部１２２は、受取った信号に復調処理を施して第２回路部１２３に出力する。第２回路部１２３は、受取った信号に施されている圧縮処理を解除して、第３回路部１２４に出力する。
【０００７】
第３回路部１２４は、圧縮処理の解除により復元されたデジタルの映像および音声信号を、アナログの映像および音声信号に変換する。そしてアナログの映像および音声信号は、映像装置接続端子１２５を通じて、不図示の映像表示装置などに出力される。
【０００８】
なおチューナ部１０１や本体部１０２は、それぞれを覆っているシャーシ（１１４、１２６）がメイン基板１０９に取り付けられることで、メイン基板１０９に固定されている。また各シャーシ（１１４、１２６）は、内部に固定される回路基板が容易に外れてしまわないように、回路基板を支えるための突起が設けられている。また中間周波数信号の入力端子１２１や映像装置接続端子１２５は、シャーシ１２６に取り付けられている。
【０００９】
【特許文献１】特開２０００−６８６７３号公報
【特許文献２】特開平１１−３４１３７５号公報
【発明の開示】
【発明が解決しようとする課題】
【００１０】
上述した受信装置では、本体部１０２の回路基板がメイン基板１０９に取り付けられるにあたって、本体部１０２を覆っているシャーシ１２６が利用されている。そのため本体部１０２においてはシャーシ１２６が不可欠となっており、本体部１０２の大きさを小さくすることが難しくなっている。これにより、受信装置の小型化が妨げられることになる。なおシャーシ１２６の外側に入力端子１２１や映像装置接続端子１２５が設けられていると、より小型化を図ることが難しくなる。
【００１１】
またシャーシ１２６については、予め入力端子１２１や映像装置接続端子１２５を取り付けておく必要があるとともに、回路基板を支えるための突起などを設けておく必要がある。このようなことから、シャーシ１２６の構造や製造方法は比較的複雑なものとなり易く、製品の低廉化を妨げる要因となる。
【００１２】
そこで本発明は、上述した問題点に鑑み、回路基板を他の回路基板に取り付ける工程にあたってシャーシが必要とならず、また当該工程を極力簡易に行うことが可能となる受信装置、および基板取付部材の提供を目的とする。
【課題を解決するための手段】
【００１３】
上記目的を達成するため、本発明に係る受信装置は、実装面の外縁が略四角形である第１基板と、取付面の外縁が略四角形である板状部を有し、前記第１基板が該取付面（「表面」とする）側に取り付けられる一方、該取付面の裏側の面（「裏面」とする）側が所定の第２基板に取り付けられる基板取付部材と、を備え、受信された放送信号に対して、前記第１基板に設けられた回路によって所定の処理を施す受信装置であって、前記基板取付部材は、前記第１基板と前記第２基板とを電気的に接続する接続端子と、前記第２基板への取り付けに用いられる脚部と、を有しており、前記接続端子は、前記表面側と裏面側において、前記板状部から略垂直方向に突出しており、前記表面側においては前記第１基板と接触する一方、前記裏面側においては前記第２基板に接触するものであり、前記脚部は、前記裏面側において、前記板状部から略垂直方向に突出している構成（第１の構成）とする。
【００１４】
本構成によれば、第１基板を基板取付部材の表面側に取り付け、基板取付部材の裏面側を第２基板に取り付けることが可能である。そのため、ある回路基板（第１基板）を他の回路基板（第２基板）に取り付ける工程にあたって、シャーシ等が必要とならない。また基板取付部材には、第１基板と第２基板とを電気的に接合させる接続端子や、第２基板への取り付けに用いられる脚部が、板状部から略垂直方向に（表面や裏面に対して略垂直方向に）突出するように設けられている。そのため、第１基板を第２基板に取り付ける工程を極力簡易に行うことが可能となる。
【００１５】
また上記第１の構成において、前記板状部は、前記取付面の外縁に沿った枠状に形成されている構成（第２の構成）としてもよい。
【００１６】
本構成によれば、第１基板における基板取付部材と向かい合う側の面に、装置が設置されたこと等による出っ張りが存在していても、この出っ張りと板状部とが干渉することを極力防ぐことが可能となる。そのため、第１基板を基板取付部材に取り付ける工程を、容易なものとすることが可能となる。
【００１７】
また上記第２の構成において、前記第１基板における実装面の外縁の形状と、前記板状部の外縁の形状とは、互いに略合同である構成（第３の構成）としてもよい。本構成によれば、第１基板を基板取付部材に取り付ける際の位置合わせなどが容易となり、当該取付の工程を容易なものとすることが可能となる。
【００１８】
また上記第１の構成において、前記基板取付部材は、前記裏面側における、前記板状部の四隅の各々において、前記板状部と前記第２基板との間に介在して、厚みに応じたスペースを該板状部と該第２基板との間に確保させる、第１スペーサが設けられている構成（第４の構成）としてもよい。
【００１９】
本構成によれば、板状部と第２基板との間にスペースが確保されるため、板状部と第２基板が接触する（当該スペースが設けられない）ものに比べて、第２基板側で発生した熱を放熱させることが容易となる。
【００２０】
また上記第４の構成において、前記脚部および接続端子は、前記裏面側において、前記板状部から、前記第１スペーサの厚みよりも大きく突出している構成（第５の構成）としてもよい。
【００２１】
本構成によれば、第１スペーサに接触するように第２基板が取り付けられたとき、脚部や接続端子を第２基板に接触させることを、容易なものとすることが可能となる。
【００２２】
また上記第１の構成としてより具体的には、前記脚部は、前記裏面側において、前記板状部から、前記接続端子よりも長く突出している構成（第６の構成）としてもよい。
【００２３】
また上記第２の構成において、前記第１基板は、前記基板取付部材と向かい合う側の面に、該面からの高さが所定値である突出部分を有している一方、前記基板取付部材における、前記第１基板と接触する面と前記第２基板と接触する面との距離は、該所定値よりも大きく設定されている構成（第７の構成）としてもよい。
【００２４】
本構成によれば、第１基板が裏面側に有している突出部分（例えば、信号処理を実行する装置によるもの）が、第２基板と干渉してしまうことを極力回避することが可能となる。
【００２５】
また上記第１の構成において、前記脚部の各々は、前記第２基板に設けられている脚部挿入用孔の各々に挿入されるものであり、該脚部の各々は、該脚部挿入用孔の各々の位置に対応して設けられている構成（第８の構成）としてもよい。
【００２６】
本構成によれば、脚部の各々が設けられている位置と、脚部挿入用孔の各々が設けられている位置は互いに対応する。そのため、例えば基板取付部材を第２基板に取り付ける工程が手作業にてなされる場合、当該工程において、各脚部を位置決めのための目印として利用することが可能となる。
【００２７】
また上記第１の構成において、前記脚部は、前記第２基板に設けられている脚部挿入用孔に挿入させられるものであるとともに、該脚部挿入用孔に挿入させられた状態で該第２基板に係合することで、該脚部が該脚部挿入用孔から抜けることを妨げるフックを備えている構成（第９の構成）としてもよい。本構成によれば、脚部が脚部挿入用孔から容易に抜けることを防ぐことが可能となる。
【００２８】
また上記第１の構成において、前記接続端子は、前記第１基板または第２基板に設けられている接続用孔に挿入可能な、突起形状を有しているとともに、該接続用孔に挿入させられた状態で該接続用孔の内部に径方向の弾性力を加える、作用部を有している構成（第１０の構成）としてもよい。
【００２９】
本構成によれば、接続端子における作用部と接続用孔内部との間に生ずる摩擦力により、接続端子と接続用孔との相対的な位置関係を保持することが容易となる。そのため、例えば接続端子と接続用孔とをはんだ付けによって互いに固定させる場合、かかる工程を容易なものとすることが可能となる。
【００３０】
また上記第１０の構成としてより具体的には、前記接続端子は、弾性を有する金属により形成されており、前記作用部は、前記接続端子の一部に、曲げ加工が施されることにより実現されている構成（第１１の構成）としてもよい。
【００３１】
また上記第１の構成としてより具体的には、前記脚部は、前記裏面側において、前記板状部の四隅の各々から略垂直方向に突出している構成（第１２の構成）としてもよい。
【００３２】
また上記第１の構成において、前記基板取付部材は、前記表面側における、前記板状部の四隅の各々において、前記板状部と前記第１基板との間に介在して、厚みに応じたスペースを該板状部と該第１基板との間に確保させる、第２スペーサが設けられている構成（第１３の構成）としてもよい。
【００３３】
本構成によれば、板状部と第１基板との間にスペースが確保されるため、板状部と第１基板が接触する（当該スペースが設けられない）ものに比べて、第１基板側で発生した熱を放熱させることが容易となる。また第１基板における回路パターン等が板状部に接触することを、極力回避することが可能となる。
【００３４】
また上記第１の構成としてより具体的には、前記接続端子は、所定のチューナから出力される信号を前記第１基板に伝送する、第１接続端子と、前記第１基板から出力される信号を所定の映像装置に伝送する、第２接続端子と、前記第１基板を前記第２基板における接地点に接続する、第３接続端子と、の各々を有しており、該第１接続端子、該第２接続端子、および該第３接続端子の各々は、互いに前記基板取付部材の異なる辺に沿って配置されている構成（第１４の構成）としてもよい。
【００３５】
また本発明に係る基板取付部材は、取付面の外縁が略四角形である板状部を有し、実装面の外縁が略四角形である所定の第１基板が該取付面（「表面」とする）側に取り付けられる一方、該取付面の裏側の面（「裏面」とする）側が所定の第２基板に取り付けられる基板取付部材であって、前記第１基板と前記第２基板とを電気的に接続する接続端子と、前記第２基板への取り付けに用いられる脚部と、を有しており、前記接続端子は、前記表面側と裏面側において、前記板状部から、該板状部の面に対して略垂直に突出しており、前記表面側においては前記第１基板と接触する一方、前記裏面側においては前記第２基板に接触するものであり、前記脚部は、前記裏面側において、前記板状部の四隅の各々から、該板状部の面に対して略垂直に突出している構成（第１５の構成）とする。
【００３６】
本構成によれば、第１基板を基板取付部材の表面側に取り付け、基板取付部材の裏面側を第２基板に取り付けることが可能である。そのため、ある回路基板（第１基板）を他の回路基板（第２基板）に取り付ける工程にあたって、シャーシ等が必要とならない。また基板取付部材には、第１基板と第２基板とを電気的に接合させる接続端子や、第２基板への取り付けに用いられる脚部が、板状部から略垂直方向に（表面や裏面に対して略垂直方向に）突出するように設けられている。そのため、第１基板を第２基板に取り付ける工程を極力簡易に行うことが可能となる。
【００３７】
また上記第１５の構成において、前記板状部は、前記取付面の外縁に沿った枠状に形成されており、該板状部の外縁の形状は、前記第１基板における実装面の外縁の形状と、略合同になっている構成（第１６の構成）としてもよい。
【００３８】
本構成によれば、第１基板における基板取付部材と向かい合う側の面に、装置が設置されたこと等による出っ張りが存在していても、この出っ張りと板状部とが干渉することを極力防ぐことが可能となる。そのため、第１基板を基板取付部材に取り付ける工程を、容易なものとすることが可能となる。また第１基板を基板取付部材に取り付ける際の位置合わせなどが容易となり、当該取付の工程を容易なものとすることが可能となる。
【発明の効果】
【００３９】
上述の通り、本発明に係る受信装置および基板取付部材によれば、第１基板を基板取付部材の表面側に取り付け、基板取付部材の裏面側を第２基板に取り付けることが可能である。そのため、ある回路基板（第１基板）を他の回路基板（第２基板）に取り付ける工程にあたって、シャーシ等が必要とならない。また基板取付部材には、第１基板と第２基板とを電気的に接合させる接続端子や、第２基板への取り付けに用いられる脚部が、板状部から略垂直方向に（表面や裏面に対して略垂直方向に）突出するように設けられている。そのため、第１基板を第２基板に取り付ける工程を極力簡易に行うことが可能となる。
【発明を実施するための最良の形態】
【００４０】
本発明の実施形態について、回路基板やフレーム（基板取付部材）が用いられて構成される受信装置を例に挙げて以下に説明する。まず当該フレームの構成について、図１〜図３を参照しながら説明する。なお図１は、フレームの全体的な構成を表すものであり、図２は図１のＡで示す範囲を拡大したものを、図３は図１のＢで示す範囲を拡大したものを、それぞれ表している。また図１においては、フレームを表側から見たもの（平面図）を中央に表し、上下左右の各方向から見たもの（側面図）を、その周囲に表している。
【００４１】
これらの図に示すように、フレーム１は、板状部１１、第１スペーサ１２ａ、第２スペーサ１２ｂ、接続端子１３、および脚部１４などが備えられている。
【００４２】
板状部１１は、所定の絶縁材質で形成されており、主面（最も広い面）の外縁が長方形である平板において、その内部が長方形の形に切り抜かれている形状となっている。言い換えれば、主面の外縁に沿った枠の形状（枠状）となっている。また板状部１１の主面の外縁形状（後述するサブ基板が取り付けられる面の外縁形状）は、サブ基板の実装面の外縁形状と、ほぼ合同になるように設定されている。
【００４３】
第１スペーサ１２ａは、所定の厚みを持つ板状体であり、フレーム１の裏面側において、板状部１１の四隅（裏面側における各角の近傍）に取り付けられている。これにより第１スペーサ１２ａは、後述する通り、フレーム１がメイン基板に取り付けられたときに、その厚み分のスペース（段差と見ることもできる）を双方間に生じさせる。
【００４４】
第２スペーサ１２ｂは、所定の厚みを持つ板状体であり、フレーム１の表面側において、板状部１１の四隅（表面側における各角の近傍）および板状部１１におけるその他の所定箇所に取り付けられている。これにより第２スペーサ１２ｂは、後述する通り、サブ基板がフレーム１に取り付けられたときに、その厚み分のスペース（段差と見ることもできる）を双方間に生じさせる。
【００４５】
接続端子（１３ａ〜１３ｃ）は、弾性の有る金属（導電性材質）にて細長い形状に形成されており、板状部１１の複数個所を主面に対して垂直に貫くように、複数本が設けられている。言い換えれば、各接続端子（１３ａ〜１３ｃ）は、板状部１１から表側と裏側の双方に突出している突起形状となっている。これにより、フレーム１の表側と裏側にそれぞれ取り付けられる基板（後述するサブ基板とメイン基板）同士を、電気的に接続する役割を果たす。
【００４６】
また各接続端子（１３ａ〜１３ｃ）は、裏面側においては第１スペーサ１２ａの厚みよりも大きく突出しており、表面側においては第２スペーサ１２ｂの厚みよりも大きく突出している。そのため、各スペーサ（１２ａ、１２ｂ）に接触するように回路基板が取り付けられたとき、接続端子（１３ａ〜１３ｃ）を当該回路基板に接触させることが容易と成っている。
【００４７】
なお接続端子としては、第１接続端子１３ａ、第２接続端子１３ｂ、および第３接続端子１３ｃが設けられている。第１接続端子１３ａは、板状部１１の一辺（図１における左側の辺）に沿って設けられており、第２接続端子１３ｂは、板状部１１の他の辺（図１における上側の辺）に沿って設けられており、第３接続端子１３ｃは、板状部１１の更に他の辺（図１における右側の辺）に設けられている。
【００４８】
また複数の接続端子（１３ａ〜１３ｃ）の幾つかについては、図３に示す通り一部が「く」の字型となるように曲げ加工の施された、折り曲げ部１３ｓが設けられている。これにより接続端子が、後述する端子接続パターン（２４ａ〜２４ｃ）の孔や接続端子挿入用孔９２に挿入されると、折り曲げ部１３ｓが当該孔の側面に接触する。その結果、折り曲げ部１３ｓには、当該折り曲げが解除される方向に力が加えられ、この折り曲げ状態を保とうとするような（つまり、孔の内部側面からほぼ径方向に向かう）弾性力が生ずる。これは後述する通り、フレーム１と回路基板との相対的位置を、極力安定させるようにするためのものである。
【００４９】
脚部１４は、フレーム１の裏面側において、板状部１１の四隅の各々から、主面に対して垂直に突出するように設けられている。また第１スペーサ１２ａや各接続端子（１３ａ〜１３ｃ）よりも、板状部１１から大きく突出している。なお脚部１４は、図２に示すように第１スペーサ１２ａを介して突出するようにしても良く、板状部１１から直接突出するようにしても良い。
【００５０】
また図２に示すように、脚部１４における突出部分の先端近傍には、その突出部分の側面からフック部１４ａ（小さな突起）が突出している。このフック部１４ａは、後述する通り、フレーム１がメイン基板に取り付けられた後、容易に抜けないようにするためのものである。このような構成により脚部１４は、後述するメイン基板への、フレーム１の取り付けに用いられる。
【００５１】
次に、本実施形態の受信装置に用いられるサブ基板の構成について、図４を参照しながら説明する。
【００５２】
図４は、サブ基板２を表側から見た場合の概略的な構成図である。本図に示すようにサブ基板２は、第１回路部２１、第２回路部２２、第３回路部２３、および端子接続パターン（２４ａ〜２４ｃ）などを備えている。第１回路部２１は、入力された信号に復調処理を施すための回路を有している。また第２回路部２２は、入力された信号に施されている圧縮処理を解除するための回路を有している。また第３回路部２３は、入力されたデジタルの映像及び音声信号を、アナログの映像および音声信号に変換するための回路を有している。
【００５３】
端子接続パターン（２４ａ〜２４ｃ）は、接続端子（１３ａ〜１３ｃ）が挿入可能となるように、基板を貫通する孔を有している。また端子接続パターンとしては、図４に示すように、第１端子接続パターン２４ａ、第２端子接続パターン２４ｂ、および第３端子接続パターン２４ｃが設けられている。そして第１端子接続パターン２４ａは第１回路部２１に接続されており、第２端子接続パターン２４ｂは第１回路部２１や第３回路部２２に接続されており、第３端子接続パターン２４ｃは各回路部（２１〜２３）に接続されている。
【００５４】
なお第１端子接続パターン２４ａは、第１接続端子１３ａの各々に対応する位置に設けられている。第２端子接続パターン２４ｂは、第２接続端子１３ｂの各々に対応する位置に設けられている。第３端子接続パターン２４ｃは、第３接続端子１３ｃの各々に対応する位置に設けられている。
【００５５】
次に本実施形態における受信装置の構成について説明する。
【００５６】
当該受信装置５は、図５に示すように、メイン基板９にチューナ部３と先述したサブ基板２が取り付けられて構成されている。チューナ部３は、図８に示すチューナ部１０１と同様の構成であり、一般的なチューナとしての機能を有している。
【００５７】
より具体的には、チューナ部３は、チューナ入力端子３１、チューナ回路部３２、および中間周波数信号の出力端子３３を備えている。そしてチューナ入力端子３１に入力された放送信号はチューナ回路部３２に伝送され、チューナ回路部３２において、放送信号のうち所定周波数のものを抽出（選局）する。抽出された信号は、中間周波数の信号に変換され、出力端子３３を通じてメイン基板９の配線パターンに出力される。
【００５８】
またサブ基板２は、サブ基板２がフレーム１に取り付けられる第１工程、および、このフレーム１がメイン基板９に取り付けられる第２工程の各々がなされることで、メイン基板９に取り付けられている。
【００５９】
第１工程についてより具体的には、先ずサブ基板２の裏面側とフレーム１の表面側が対向するように、またサブ基板２とフレーム１の外縁同士が、主面に垂直な方向から見て重なるように、サブ基板２がフレーム１に載置される。このとき、フレーム１に備えられている各接続端子（１３ａ〜１３ｃ）は、対応する端子接続パターン（２４ａ〜２４ｃ）の孔を貫通することになる。このように載置された状態で各接続端子（１３ａ〜１３ｃ）は、対応する端子接続パターン（２４ａ〜２４ｃ）に、はんだ付けによって固定される。なおサブ基板２とフレーム１の外縁同士は互いに略合同な長方形であるため、上述の通り、互いに重なるようにサブ基板２をフレーム１に載置させることが可能である。そのため、サブ基板２とフレーム１との位置合わせが容易となっている。
【００６０】
ここで先述した通り、接続端子（１３ａ〜１３ｃ）の幾つかには折り曲げ部１３ｓが設けられている。そのためサブ基板２がフレーム１に載置された段階で、この折り曲げ部１３ｓが、端子接続パターン２４の孔の内部側面から径方向に弾性力を加えることになる。そのため、サブ基板２とフレーム１との位置関係が不安定となる（サブ基板２がぐらつく）ことを極力抑えることが可能となっており、当該はんだ付け工程の実行が容易となっている。
【００６１】
またサブ基板２は、フレーム１に載置されたとき、第２スペーサ１２ｂに接触する。これによりサブ基板２と板状部１１とは接触せず、図５に示す通り、双方間には第２スペーサ１２ｂの厚み分のスペースＳＰ１が生じることになる。そのため、サブ基板２とフレーム１との接触面積が比較的小さくなっており、サブ基板２が放熱し易いようになっている。またサブ基板２における回路パターンが板状部１１に接触することを、極力回避することが可能となっている。
【００６２】
また先述した第２工程についてより具体的には、先ず図６に示すように、脚部１４がメイン基板９に予め設けられた脚部挿入用孔９１に挿入されるように、フレーム１がメイン基板９に載置される。なお脚部挿入用孔９１の各々は、脚部１４の突出部がスムーズに挿入され得る程度の大きさに設定されており、また各脚部１４の位置に対応した位置に設けられている。
【００６３】
これにより、脚部１４と脚部挿入用孔９１は、フレーム１をメイン基板９に載置させる工程において、フレーム１とメイン基板９との相対的な位置関係を定める役割をも果たしている。そのため、フレーム１をメイン基板に取り付ける工程が手作業にてなされる場合、当該工程において、各脚部１４を位置決めのための目印として利用することが可能となっている。
【００６４】
またメイン基板９には、フレーム１に設けられた各接続端子（１３ａ〜１３ｃ）の位置に対応して、接続端子挿入用孔９２も備えられている。そのため、フレーム１がメイン基板９に載置される際、各接続端子１４は各接続端子挿入用孔９２に挿入されることとなる。
【００６５】
なおフレーム１がメイン基板９に載置されたときには、脚部１４は脚部挿入用孔９１を貫通し、その結果、脚部１４の先端に設けられているフック部１４ａが、メイン基板９の裏面側（フレーム１と対向する面の裏側）に引っ掛かるようになっている。また更に接続端子１３の折り曲げ部１３ｓが、接続端子挿入用孔９２の内部側面から径方向に弾性力を加えるようになっている。
【００６６】
これらの結果、フレーム１がメイン基板９に載置された後、メイン基板９から容易に外れないようになっている。またこの状態で、各接続端子（１３ａ〜１３ｃ）とメイン基板９は、互いにはんだ付けにより固定されることになるから、当該はんだ付けの工程が容易なものとなっている。
【００６７】
またメイン基板９は、フレーム１がメイン基板９に載置されたとき、第１スペーサ１２ａに接触する。これによりメイン基板９と板状部１１とは接触せず、図５に示すように、双方間には第１スペーサ１２ａの厚み分のスペースＳＰ２が生じることになる。そのため、メイン基板９とフレーム１との接触面積が比較的小さくなっており、メイン基板９が放熱し易いようになっている。
【００６８】
ここで図５におけるＸ−Ｘ´間の概略的な断面図（但し、接続端子などは省略する）を、図７に示す。本図に示すように、フレーム１における板状部１１、第１スペーサ１２ａおよび第２スペーサ１２ｂの各々の厚みの和（図中のｔ１）は、サブ基板２の裏面側から突出している部分（例えば信号処理を行う装置を備えたことによるもの）２５の高さ（図中のｔ２）よりも、大きくなるように設定されている。
【００６９】
なお上述したｔ１は、フレーム１における、サブ基板２に接触する面とメイン基板９に接触する面との距離と見ることもできる。このように設定されていることにより、フレーム１がメイン基板９に取り付けられる際に、サブ基板２の裏面側における突出部分２５がメイン基板９と干渉しないようになっている。
【００７０】
次に本実施形態に係る受信装置の動作内容について説明する。
【００７１】
まずチューナ入力端子３１には、不図示のアンテナによって受信された放送信号が入力される。なおここでの放送信号は、デジタル放送（テレビ放送）に係るものであり、テレビ番組のコンテンツ情報（デジタルの映像や音声に係る情報）に、圧縮処理と変調処理が施されて生成された信号である。
【００７２】
チューナ入力端子３１に入力された放送信号は、チューナ回路部３２に入力される。チューナ回路部３２は、入力された放送信号について所定の周波数のものを抽出（選局）し、中間周波数の信号（中間周波数信号）に変換する。この中間周波数信号は、出力端子３３から、メイン基板９の配線パターン、第１接続端子１３ａ、および第１端子接続パターン２４ａを介して、第１回路部２１に入力される。
【００７３】
第１回路部２１は、入力された信号に対して、復調処理を施した上で第２回路部２２に出力する。第２回路部２２は、入力された信号に対して圧縮処理を解除することで、デジタルテレビ放送の所定番組に係る映像および音声情報を取得し、これらの情報を第３回路部２３に出力する。第３回路部２３は、入力されたデジタルの映像および音声情報を、アナログの映像および音声情報に変換し、第２端子接続パターン２４ｂおよび第２接続端子１３ｂを介して、不図示の映像装置に出力する。映像装置は、入力されたアナログの映像および音声情報に基づいて、映像表示や音声出力を行う。
【００７４】
受信装置５は、以上に説明した動作を実行することにより、受信された放送信号に対して、サブ基板２に設けられた回路によって所定の処理を施すものとなっている。なお受信装置５において、チューナ入力端子３１の前段にアンテナを備えるようにしておき、受信装置５単体で、放送信号（放送波）を受信できるようにしておいても良い。
【００７５】
なお各回路部（２１〜２３）は、第３端子接続パターン２４ｃを介して第３接続端子１３ｃに接続されており、また第３接続端子１３ｃは、メイン基板９に設けられているグランドパターンに接続されている。これにより、各回路部（２１〜２３）において接地点が確保されている。
【００７６】
また各接続端子の役割に着目すると、第１接続端子１３ａは、チューナ部３から出力される信号をサブ基板２に伝送するものであり、第２接続端子１３ｂは、サブ基板２から出力される信号を不図示の映像装置に伝送するものであり、第３接続端子１３ｃは、サブ基板２をメイン基板におけるグランドパターン（接地点）に接続するものであるといえる。
【００７７】
以上に説明した通り、本実施形態に係る受信装置５は、実装面の外縁が長方形であるサブ基板２を備えている。また、取付面の外縁が長方形（サブ基板２の外縁と合同）である板状部１１を有し、サブ基板２がこの取付面（表面）側に取り付けられる一方、取付面の裏側の面（裏面）側がメイン基板９に取り付けられるフレーム１を備えている。
【００７８】
またフレーム１は、サブ基板２とメイン基板９を電気的に接続する接続端子（１３ａ〜１３ｃ）と、メイン基板９への取り付けに用いられる脚部１４と、を有している。そして接続端子（１３ａ〜１３ｃ）は、フレーム１の表面側と裏面側において板状部１１から略垂直方向に突出しており、表面側においてはサブ基板２と接触する一方、裏面側においてはメイン基板９に接触するものである。更に脚部１４は、フレーム１の裏面側において、板状部１１から略垂直方向に突出している。
【００７９】
このような構成により、サブ基板２をフレーム１の表面側に取り付け、フレーム１の裏面側をメイン基板９に取り付けることが可能となっている。そのため、サブ基板２をメイン基板９に取り付ける工程にあたって、シャーシ等が不要となっている。そのため、シャーシを省略することによる製品の小型化、製造プロセスの簡略化、および材料費の削減などが容易となっている。
【００８０】
またフレーム１には、サブ基板２とメイン基板９とを電気的に接合させる接続端子（１３ａ〜１３ｃ）や、メイン基板９への取り付けに用いられる脚部１４が、板状部１１から略垂直方向に（表面や裏面に対して略垂直方向に）突出するように設けられている。そのため、サブ基板２をメイン基板９に取り付ける工程を極力簡易に行うことが可能となっている。
【００８１】
また更に、フレーム１における板状部１１は、主面（サブ基板２の取付面）の外縁に沿った枠状に形成されているため、サブ基板２の裏面に出っ張りが存在していても、この出っ張りと板状部１１とが干渉することを極力防ぐことが可能となっている。そのため、サブ基板２をフレーム１に取り付ける工程が、容易なものとなっている。
【００８２】
またサブ基板２における実装面の外縁の形状と、板状部１１の外縁の形状とは、互いに略合同の長方形となっている。そのため、サブ基板２をフレーム１に取り付ける際の位置合わせが容易となっており、当該取付の工程が容易なものとなっている。
【００８３】
なお本発明の実施形態は、上述したものに限定されるものではなく、本発明の主旨を逸脱しない限り、種々の改変を加えることが可能である。
【産業上の利用可能性】
【００８４】
本発明は、テレビ放送受信装置などの分野において利用可能である。
【図面の簡単な説明】
【００８５】
【図１】本発明の実施形態に係るフレームの構成図である。
【図２】図１のＡで示す範囲における拡大図である。
【図３】図１のＢで示す範囲における拡大図である。
【図４】本発明の実施形態に係るサブ基板の構成図である。
【図５】本発明の実施形態に係る受信装置の構成図である。
【図６】フレームをメイン基板に載置させる様子を示す説明図である。
【図７】図５におけるＸ−Ｘ´間の概略的な断面図である。
【図８】従来の受信装置に関する構成図である。
【符号の説明】
【００８６】
１    フレーム（基板取付部材）
２    サブ基板（第１基板）
３    チューナ部
５    受信装置
９    メイン基板（第２基板）
１１    板状部
１２ａ  第１スペーサ
１２ｂ  第２スペーサ
１３ａ  第１接続端子
１３ｂ  第２接続端子
１３ｃ  第３接続端子
１３ｓ  折り曲げ部（作用部）
１４    脚部
１４ａ  フック部
２１    第１回路部
２２    第２回路部
２３    第３回路部
２４    端子接続パターン
２４ａ  第１端子接続パターン
２４ｂ  第２端子接続パターン
２４ｃ  第３端子接続パターン
９１    脚部挿入用孔
９２    接続端子挿入用孔
【図１】
2009147415.tif 000003
【図２】
2009147415.tif 000004
【図３】
2009147415.tif 000005
【図４】
2009147415.tif 000006
【図５】
2009147415.tif 000007
【図６】
2009147415.tif 000008
【図７】
2009147415.tif 000009
【図８】
2009147415.tif 000010